【手続補正書】
【提出日】平成26年4月3日(2014.4.3)
【手続補正１】
【補正対象書類名】特許請求の範囲
【補正対象項目名】全文
【補正方法】変更
【補正の内容】
【特許請求の範囲】
【請求項１】
カラー画像データをフォーマットする方法であって、
フィルタ素子波長域に従って繰り返しパターンで配置された複数のフィルタ素子を有するカラー・フィルタ・アレイを使用して、光をフィルタリングするステップと、
前記カラー・フィルタ・アレイを通過する光に関する複数のデータチャネルに対応する画像データを備える第１の画像フレームを取得するステップと、
前記複数のデータチャネルそれぞれに対して複数の解像度レベルを提供するアルゴリズムを使用して、前記画像データを圧縮するステップと、
各々の解像度レベルに対して、前記複数のデータチャネルのうち２つ以上のデータチャネルの前記圧縮画像データが、記憶装置に１つの群にまとめて記憶されたフォーマットで、前記圧縮画像データを記憶するステップと、
各々の群に対して位置参照を提供するために前記第１の画像フレームのインデックスを作成して、高い解像度レベルを有する圧縮画像データにアクセスしなくても前記記憶装置からそれぞれの解像度レベルの圧縮画像データ群にアクセスできるようにするステップと、
前記第１の画像フレームに加えて複数の画像フレームに対して、前記フィルタリングするステップ、取得するステップ、圧縮するステップ、記憶するステップ、作成するステップを実行し、高い解像度レベルを有する圧縮画像データにアクセスしなくても特定の解像度レベルの動画ビデオ画像データにアクセスできるようにするステップと
を含む方法。
【請求項２】
前記カラー・フィルタ・アレイの繰り返しパターンが、緑色波長域に対応する第１のフィルタ素子と、緑色波長域に対応する第２のフィルタ素子と、赤色波長域に対応する第３のフィルタ素子と、青色波長域に対応する第４のフィルタ素子とを備える、請求項１に記載の方法であって、
前記繰り返しパターンの前記第１の素子を通過する光に対応する複数の緑色値を含む第１の緑色データチャネルを取得するステップと、
前記繰り返しパターンの前記第２の素子を通過する光に対応する複数の緑色値を含む第２の緑色データチャネルを取得するステップと、
前記繰り返しパターンの前記第３の素子を通過する光に対応する複数の赤色値を求めるステップと、
前記繰り返しパターンの前記第４の素子を通過する光に対応する複数の青色値を求めるステップと、
赤色値と前記赤色値の近くから得られた少なくとも２つの緑色値の組み合わせとの差を計算することで得られる複数の赤色・緑色の色差値を含む、赤色・緑色の色差データチャネルを取得するステップと、
青色値と前記青色値の近くから得られた少なくとも２つの緑色値の組み合わせとの差を計算することで得られる複数の青色・緑色の色差値を含む、青色・緑色の色差データチャネルを取得するステップと
を更に含む方法。
【請求項３】
前記位置参照が、前記対応する画像フレームの前記圧縮画像データと一緒に記憶装置に記憶される、請求項１に記載の方法。
【請求項４】
前記圧縮画像データ群が、前記記憶装置に実質上隣接するメモリ空間に常駐する、請求項１に記載の方法。
【請求項５】
前記複数のデータチャネルが、異なる色チャネルに対応する、請求項１に記載の方法。
【請求項６】
前記記憶するステップが、各々の解像度レベルに対して、前記群とは別に前記色チャネルの少なくとも１つの圧縮画像データを記憶するステップを含む、請求項５に記載の方法。
【請求項７】
前記複数のデータチャネルが赤色データチャネル、青色データチャネル、第１の緑色データチャネル、及び第２の緑色データチャネルを含む、請求項６に記載の方法であって、
前記記憶するステップが、各々の解像度レベルに対して、
前記赤色データチャネル、前記青色データチャネル、及び前記第１の緑色データチャネルの前記圧縮画像データを１つの群にまとめて記憶するステップと、
前記赤色データチャネル、前記青色データチャネル、及び前記第１の緑色データチャネルの前記圧縮画像データ群とは別に、前記第２の緑色データチャネルの圧縮画像データを記憶するステップと、
を含む方法。
【請求項８】
カラー画像データをフォーマットする方法であって、
フィルタ素子波長域に従って繰り返しパターンで配置された複数のフィルタ素子を有するカラー・フィルタ・アレイを使用して、光をフィルタリングするステップと、
前記カラー・フィルタ・アレイを通過する光に関する複数のデータチャネルに対応する画像データを備える複数の画像フレームを取得するステップと、
前記複数のデータチャネルそれぞれに対して複数の解像度レベルを提供するアルゴリズムを使用して、前記画像データを圧縮するステップと、
前記複数の画像フレームの中の少なくともいくつかの前記画像フレームの圧縮画像データに対しては、
各々の解像度レベルに対し、前記複数のデータチャネルのうち２つ以上のデータチャネルの前記圧縮画像データが１つの群にまとめられたフォーマットで、前記圧縮画像データを記憶するステップと、
前記対応する画像フレーム内の各々の解像度レベルに対して少なくとも１つの位置参照を提供するためにインデックスを作成して、高い解像度レベルを有するデータにアクセスしなくてもそれぞれの解像度レベルのデータにアクセスできるようにするステップとを含み、各々の解像度レベルの前記少なくとも１つの位置参照は、その解像度レベルに対応する前記群の参照である、
方法。
【請求項９】
前記記憶するステップは、記憶装置に圧縮画像データの前記群をまとめて記憶するステップを更に含む、請求項８に記載の方法。
【請求項１０】
前記少なくとも１つの位置参照は、前記対応する画像フレームの前記圧縮画像データと共に前記記憶装置に記憶される、請求項９に記載の方法。
【請求項１１】
前記少なくとも１つの位置参照は、前記複数のデータチャネルのうちの前記群に含まれないデータチャネルの圧縮画像データへの参照を更に含み、
前記群に含まれない前記データチャネルの前記圧縮画像データは、前記群とは別に記憶される、請求項９に記載の方法。
【請求項１２】
第１の緑色データチャネルと、第２の緑色データチャネルと、赤色・緑色の色差データチャネルと、青色・緑色の色差データチャネルとを含むカラー画像データを解凍する方法であって、
前記第１の緑色データチャネル用のオフセット値を求めるためのインデックスにアクセスするステップと、
前記第１の緑色データチャネル用の前記オフセット値を使用して、高い解像度レベルを有するデータにアクセスしなくても特定の解像度レベルの前記第１の緑色データチャネル内のデータにアクセスするステップと、
前記赤色・緑色の色差データチャネル用のオフセット値を求めるためのインデックスにアクセスするステップと、
前記赤色・緑色の色差データチャネル用の前記オフセット値を使用して、高い解像度レベルを有するデータにアクセスしなくても前記特定の解像度レベルの前記赤色・緑色の色差データチャネル内のデータにアクセスするステップと、
前記青色・緑色の色差データチャネル用のオフセット値を求めるためのインデックスにアクセスするステップと、
前記青色・緑色の色差データチャネル用の前記オフセット値を使用して、高い解像度レベルを有するデータにアクセスしなくても前記特定の解像度レベルの前記青色・緑色の色差データチャネル内のデータにアクセスするステップと、
前記第１の緑色データチャネルと前記赤色・緑色の色差データチャネルとから再構成赤色データチャネルを生成するステップと、
前記第１の緑色データチャネルと前記青色・緑色の色差データチャネルとから再構成青色データチャネルを生成するステップと、
前記第１の緑色データチャネルと、前記再構成赤色データチャネルと、前記再構成青色データチャネルとを使用して、再構成画像を生成するステップと
を含み、
前記第１の緑色データチャネル、前記赤色・緑色の色差データチャネル、及び前記青色・緑色の色差データチャネル内の前記アクセスされたデータがまとめてグループ化されたフォーマットで、前記カラー画像データが記憶される、
方法。
【請求項１３】
インデックスを使用して、前記第２の緑色データチャネル用のオフセット値を求めるステップと、
前記第２の緑色データチャネル用の前記オフセット値を使用して、高い解像度レベルを有するデータにアクセスしなくても前記特定の解像度レベルの前記第２の緑色データチャネル内のデータにアクセスできるようにするステップとを更に含み、前記第２の緑色データチャネル内の前記アクセスされたデータは、第１の緑色データチャネル、前記赤色・緑色の色差データチャネル、及び前記青色・緑色の色差データチャネル内の前記アクセスされたデータとは別に記憶される、
請求項１２に記載の方法。
【請求項１４】
前記赤色・緑色の色差データチャネル用の前記オフセット値を使用して、前記第１の緑色データチャネル内のデータにアクセスできるようにするステップと、
前記青色・緑色の色差データチャネル用の前記オフセット値を使用して、前記第１の緑色データチャネル内のデータにアクセルできるようにするステップと
を更に含む、請求項１２に記載の方法。
【請求項１５】
光をフィルタリングし、フィルタ素子波長域に従って繰り返しパターンで配置された複数のフィルタ素子を有する、カラー・フィルタ・アレイと、
前記カラー・フィルタ・アレイを通過する光に関する複数のデータチャネルに対応する画像データを備える複数の画像フレームを、動画ビデオ画像シーケンスにおいて取得できる少なくとも１つの画像センサと、
前記複数のデータチャネルの各々に対して複数の解像度レベルを提供するアルゴリズムを使用して、前記画像データを圧縮する圧縮モジュールと、
前記複数画像フレームの個々の画像フレームの前記圧縮画像データに対して、
前記複数のデータチャネルのうち２つ以上のデータチャネルの前記圧縮画像データが１つの群にまとめられたフォーマットで、前記個々の画像フレームの各々の解像度レベルに対して、前記圧縮画像データを記憶し、
各々の解像度レベルに対して、少なくとも１つの位置参照を提供するために前記個々の画像フレームのインデックスを作成して、高い解像度レベルを有するデータにアクセスしなくてもそれぞれの解像度レベルのデータにアクセスできるフォーマット・モジュールであって、各々の解像度レベルの前記少なくとも１つの位置参照は、その解像度レベルに対応する該群の参照を含む、
フォーマット・モジュールと、
を含む画像装置。
【請求項１６】
記憶装置を更に含み、前記フォーマット・モジュールは、前記記憶装置に、前記群をまとめて、更に記憶する、
請求項１５に記載の画像装置。
【請求項１７】
前記少なくとも１つの位置参照が、前記対応する画像フレームの前記圧縮画像データと共に前記記憶装置に記憶されている、請求項１６に記載の画像装置。
【請求項１８】
前記少なくとも１つの位置参照が、前記複数のデータチャネルのうちの前記群に含まれないデータチャネルの圧縮画像データへの参照を更に含み、
前記群に含まれない前記データチャネルの前記圧縮画像データは、前記群とは別に記憶される、請求項１７に記載の画像装置。
【請求項１９】
前記複数のデータチャネルが異なる色チャネルに対応する、請求項１５に記載の画像装置。